(57)【要約】【課題】  似ている度がより具体的なリアルさで認識できる顔類似検索システムを提供することを目的としている。【解決手段】  カメラ付携帯電話である端末装置２からの照合顔画像３が入力される照合顔画像入力部４と、有名人や動物などのキャラクタのキャラクタ顔画像５を格納したデータベース６と、照合顔画像入力部４からの入力された照合顔画像３とデータベース６に格納されたキャラクタ顔画像５と比較してどれぐらい似ているかをパーセントで表示し且つ前記コメント登録部７のコメント８を前記端末装置２に送信する検索処理部９とからなっている。【選択図】  図２
2008310636.tif 000002
【特許請求の範囲】
【請求項１】
カメラ付携帯電話あるいはＰＣ等の端末装置からの照合顔画像が入力される照合顔画像入力部と、有名人や動物などのキャラクタのキャラクタ顔画像を格納したデータベースと、前記照合顔画像入力部からの入力された照合顔画像と前記データベースに格納されたキャラクタ顔画像と比較して該データベースに格納されているどのキャラクタ顔画像とどれぐらい似ているかをパーセントで表示し前記端末装置に送信する検索処理部とからなることを特徴とする顔類似検索システム。
【請求項２】
カメラ付携帯電話あるいはＰＣ等の端末装置からの照合顔画像が入力される照合顔画像入力部と、有名人や動物などのキャラクタのキャラクタ顔画像を格納したデータベースと、１００パーセント：本人？、９５パーセント以上：そっくりさん・双子の兄弟クラス、８０パーセント以上：良く似ている・兄弟クラス、６０パーセント以上：似ている・タイプのクラス、４０パーセント以上：似ているかも・クラス、２０パーセント以下：意識しない方が良い・クラスというように似ている度パーセントの具体的なコメントが格納されたコメント登録部と、前記照合顔画像入力部からの入力された照合顔画像と前記データベースに格納されたキャラクタ顔画像と比較して該データベースに格納されているどのキャラクタ顔画像とどれぐらい似ているかをパーセントで表示し且つ前記コメント登録部のコメントを前記端末装置に送信する検索処理部とからなることを特徴とする顔類似検索システム。
【請求項３】
カメラ付携帯電話あるいはＰＣ等の端末装置からの照合顔画像が入力される照合顔画像入力部と、前記端末装置からの指定キャラクタ名が入力される指定キャラクタ名入力部と、有名人や動物などのキャラクタのキャラクタ顔画像およびそのキャラクタ名を格納したデータベースと、１００パーセント：本人？、９５パーセント以上：そっくりさん・双子の兄弟クラス、８０パーセント以上：良く似ている・兄弟クラス、６０パーセント以上：似ている・タイプのクラス、４０パーセント以上：似ているかも・クラス、２０パーセント以下：意識しない方が良い・クラスというように似ている度パーセントの具体的なコメントが格納されたコメント登録部と、前記指定キャラクタ名入力部からの指定キャラクタ名によって前記データベースに格納された該指定キャラクタ名の指定キャラクタ顔画像を特定する指定キャラクタ顔画像特定部と、前記照合顔画像入力部からの入力された照合顔画像と前記指定キャラクタ顔画像特定部で特定した指定キャラクタ顔画像と比較してどれぐらい似ているかをパーセントで表示し且つ前記コメント登録部のコメントを前記端末装置に送信する検索処理部とからなることを特徴とする顔類似検索システム。
【発明の詳細な説明】
【技術分野】
【０００１】
本発明は、顔類似検索システムに関する。
【背景技術】
【０００２】
従来、携帯電話から照合顔画像（送信顔画像）を有名人の顔画像（キャラクタ顔画像）を格納したデータベースにインターネットを介して送信すると、照合顔画像とキャラクタ顔画像の各部位が照合されて、似ているキャラクタが携帯電話に送信され表示されるとともに各部位の似ている度も表示される顔類似検索システムが知られている。
【０００３】
上述した従来の顔類似検索システムは、顔画像の部分の似ている度が表示されるだけで、具体的な類似感イメージは使用者が判断するものであり、「××％似ています」といわれても、どの程度似ているのか具体的なものとの対比がないため、具体的リアルさの感じ方が弱いという欠点を有するものであった。
【特許文献１】特になし
【発明の開示】
【発明が解決しようとする課題】
【０００４】
本発明は以上のような従来技術の欠点に鑑み、似ている度がより具体的なリアルさで認識できる顔類似検索システムを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために本発明は次のような構成としている。
＜請求項１記載の発明＞
カメラ付携帯電話あるいはＰＣ等の端末装置からの照合顔画像が入力される照合顔画像入力部と、有名人や動物などのキャラクタのキャラクタ顔画像を格納したデータベースと、前記照合顔画像入力部からの入力された照合顔画像と前記データベースに格納されたキャラクタ顔画像と比較して該データベースに格納されているどのキャラクタ顔画像とどれぐらい似ているかをパーセントで表示し前記端末装置に送信する検索処理部とで顔類似検索システムを構成している。
照合顔画像入力部に入力される照合顔画像には、端末装置のカメラで撮影した顔画像がそのまま入力される形態、端末装置のカメラで撮影した顔画像から顔の輪郭、髪型、眉毛、目、鼻、口およびそれらの距離などの顔特徴部位を抽出して形成した照合顔画像が入力される形態、端末装置のカメラで撮影した顔画像から顔の輪郭、髪型、眉毛、目、鼻、口およびそれらの距離などの顔特徴部位を抽出且つ該顔特徴部位の輪郭を自動線画して形成した照合顔画像が入力される形態がある。検索処理部でのキャラクタ顔画像との比較も、写真の顔画像同士の比較、顔特徴部位同士の比較、顔線画特徴部位同士の比較がある。
＜請求項２記載の発明＞
カメラ付携帯電話あるいはＰＣ等の端末装置からの照合顔画像が入力される照合顔画像入力部と、有名人や動物などのキャラクタのキャラクタ顔画像を格納したデータベースと、１００パーセント：本人？、９５パーセント以上：そっくりさん・双子の兄弟クラス、８０パーセント以上：良く似ている・兄弟クラス、６０パーセント以上：似ている・タイプのクラス、４０パーセント以上：似ているかも・クラス、２０パーセント以下：意識しない方が良い・クラスというように似ている度パーセントの具体的なコメントが格納されたコメント登録部と、前記照合顔画像入力部からの入力された照合顔画像と前記データベースに格納されたキャラクタ顔画像と比較して該データベースに格納されているどのキャラクタ顔画像とどれぐらい似ているかをパーセントで表示し且つ前記コメント登録部のコメントを前記端末装置に送信する検索処理部とで顔類似検索システムを構成している。
＜請求項３記載の発明＞
カメラ付携帯電話あるいはＰＣ等の端末装置からの照合顔画像が入力される照合顔画像入力部と、前記端末装置からの指定キャラクタ名が入力される指定キャラクタ名入力部と、有名人や動物などのキャラクタのキャラクタ顔画像およびそのキャラクタ名を格納したデータベースと、１００パーセント：本人？、９５パーセント以上：そっくりさん・双子の兄弟クラス、８０パーセント以上：良く似ている・兄弟クラス、６０パーセント以上：似ている・タイプのクラス、４０パーセント以上：似ているかも・クラス、２０パーセント以下：意識しない方が良い・クラスというように似ている度パーセントの具体的なコメントが格納されたコメント登録部と、前記指定キャラクタ名入力部からの指定キャラクタ名によって前記データベースに格納された該指定キャラクタ名の指定キャラクタ顔画像を特定する指定キャラクタ顔画像特定部と、前記照合顔画像入力部からの入力された照合顔画像と前記指定キャラクタ顔画像特定部で特定した指定キャラクタ顔画像と比較してどれぐらい似ているかをパーセントで表示し且つ前記コメント登録部のコメントを前記端末装置に送信する検索処理部とで顔類似検索システムを構成している。
【発明の効果】
【０００７】
以上の説明から明らかなように、本発明にあっては次に列挙する効果が得られる。
＜請求項１記載の発明の効果＞
カメラ付携帯電話あるいはＰＣ等の端末装置からの照合顔画像が入力される照合顔画像入力部と、有名人や動物などのキャラクタのキャラクタ顔画像を格納したデータベースと、前記照合顔画像入力部からの入力された照合顔画像と前記データベースに格納されたキャラクタ顔画像と比較して該データベースに格納されているどのキャラクタ顔画像とどれぐらい似ているかをパーセントで表示し前記端末装置に送信する検索処理部とで顔類似検索システムを構成しているので、
顔全体の雰囲気がどれくらい似ているのかが分かるという効果を奏する。
＜請求項２記載の発明の効果＞
利用者の持つ端末装置には類似のキャラクタ画像と、似ている度パーセントが表示されるとともに、似ている度パーセントの具体的なコメットも見ることができるので、具体的な人間関係などでリアルに認識することができ、キャラクタと親近感を感じたり距離感を感じたりという、よりリアリティーのある認識にできるという効果を奏する。
＜請求項３記載の発明＞
請求項２記載の発明の効果と同様な効果を奏するとともに、キャラクタを指名しての照会であるので、どのキャラクタに似ているかを照会するのとは違った、楽しみなり遊びなりを提供できるという効果を奏する。例えば、複数人で同じキャラクタを指名して似ている度を比較して遊ぶことなどができる。
また、キャラクタを指定しての照会であるので、指定されたキャラクタ顔画像のみの照会ですみ、よって照会処理の負担を大幅に軽減し処理時間を短時間にでき、端末装置への回答が短時間でえるという効果を奏する。
【発明を実施するための最良の形態】
【０００８】
以下、図面に示す発明を実施するための最良の形態により、本発明を詳細に説明する。
【０００９】
図１ないし図６に示す本発明を実施するための最良の第１の実施の形態において１は顔類似検索システムであって、この顔類似検索システム１はカメラ付携帯電話である端末装置２からの照合顔画像３が入力される照合顔画像入力部４と、有名人や動物などのキャラクタのキャラクタ顔画像５を格納したデータベース６と、１００パーセント：本人？、９５パーセント以上：そっくりさん・双子の兄弟クラス、８０パーセント以上：良く似ている・兄弟クラス、６０パーセント以上：似ている・タイプのクラス、４０パーセント以上：似ているかも・クラス、２０パーセント以下：意識しない方が良い・クラスというように似ている度パーセントの具体的なコメントが格納されたコメント登録部７と、前記照合顔画像入力部４からの入力された照合顔画像３と前記データベース６に格納されたキャラクタ顔画像５と比較して該データベース６に格納されているどのキャラクタ顔画像５とどれぐらい似ているかをパーセントで表示し且つ前記コメント登録部７のコメント８を前記端末装置２に送信する検索処理部９とからなっている。
【００１０】
端末装置２と顔類似検索システム１との通信がHTTP通信もしくはHTTPS通信および携帯電話通信事業者(ＮＴＴドコモ・ａｕ・ソフトバンク等)のインターネット対応携帯電話のソフトウエアであるｉアプリ
(ＮＴＴドコモ)・ＥＺアプリ(ａｕ)・Ｓ！アプリ(ソフトバンク)等１１によって行われるようにしている。
これによって、通信中に即回答が得られる。ｉアプリ・ＥＺアプリ・Ｓ！アプリ等１１は顔類似検索システム１のサイト１２から端末装置２にダウンロードしてｉアプリ・ＥＺアプリ・Ｓ！アプリ等対応端末装置にして使用できるようになっている。
図１に示すように、端末装置２とサイト１２の通信は、携帯電話通信事業者(ＮＴＴドコモ・ａｕ・ソフトバンク等)の携帯電話通信網１３と、インターネット１４によって行われるようになっている。
【００１１】
図２に示すように、端末装置２はカメラ１７と、操作部１８と、カメラで取り込んだ顔画像の顔の輪郭、髪型、眉毛、目、鼻、口、耳およびそれらの相互距離比などの特徴部位を抽出して照合顔画像３を作成する顔画像特徴部位抽出部１９と、表示部２０と、送信部２１と、受信部２２とからなっている。
すなわち、顔類似検索システム１に入力される照合顔画像３は、顔画像の顔の輪郭、髪型、眉毛、目、鼻、口、耳およびそれらの相互距離比などの特徴部位を抽出して線画ソフトや点画ソフトで作成した線画画像や点画画像である。
【００１２】
図２、図３に示すように、顔類似検索システム１はサイト１２のサーバーの受信部２５で受信した照合顔画像３が入力される照合顔画像入力部４と、有名人、動物、漫画等の架空のキャラクタ等のキャラクタ顔画像５が登録（格納）されたデータベース６と、このデータベース６に登録されたキャラクタのキャラクタ情報２４を登録しているキャラクタ情報登録部２５と、コメント登録部７と、検索処理部９と、端末装置２毎に利用履歴を保存する利用履歴テーブル３０と、似ている度のランキングを保存するランキングテーブル３１とからなっている。
データベース６にはキャラクタ顔画像５を格納しているキャラクタ顔画像格納部３２と、キャラクタ情報登録部２５と、コメント登録部７が設けられている。
検索処理部７は照合顔画像３とキャラクタ顔画像５とを比較して似ている度２６を％で表示し、ランキング２７、コメント８、人物情報２４とともに送信部２８から端末装置２に送信させる。
照合顔画像３とキャラクタ顔画像５とを比較は、照合顔画像３が特徴部分を抽出した線画画像や点画画像であるので、キャラクタ顔画像５も該５の特徴部分を抽出した線画画像や点画画像を作成して（予め作成済みを含む。）比較する。
端末装置２の撮影顔画像から抽出した線画画像や点画画像を作成するのは、該形態端末装置２で行う場合、顔類似検索システム１側で行う場合があり、いずれの側で作成しても本願発明の技術的範疇に含まれるものである。
【００１３】
図３、図４、図５、図６において、端末装置２の送信画面上から指名ボタン３２、投げ掛けボタン３３のいずれかを選択し、検索条件３４を設定し、これらと照合顔画像３からなる送信データを送信ボタン３５のクリックで送信する。前記送信データが顔類似検索システム１に入力されると、データベース６のキャラクタ顔画像との検索処理（比較）が行われ、利用履歴テーブル３０に端末装置２ごとの利用履歴データが保存蓄積され、ランキングテーブル３１にキャラクタそれぞれのランキングが変更蓄積されて行く。
顔類似検索システム１から端末装置２には、指名型あるいは投げ掛け型に対する似ている度検索結果３８、リピータ検索結果３９（指名型のみ）、似ている度ランキング結果４０、コメント８が送信される。
指名型では送信画面の指名入力欄４３に指名するキャラクタの氏名を入力する。
端末装置２の受信画面のキャラクタ情報ボタン４１をクリックすると、リンクされたキャラクタを紹介するページが表示される。
端末装置２の受信画面の保存ボタン４２をクリックすると、受信情報を端末装置２のメモリに保存することができる。
[発明を実施するための異なる形態]
【００１４】
次に、図７に示す本発明を実施するための異なる形態につき説明する。なお、これらの発明を実施するための異なる形態の説明に当って、前記本発明を実施するための最良の第１の実施の形態と同一構成部分には同一符号を付して重複する説明を省略する。
【００１５】
図７に示す本発明を実施するための最良の第２の実施の形態において前記第１の実施の形態と主に異なる点は、照合顔画像３とキャラクタ顔画像５をそれぞれの顔の輪郭、髪型、眉毛、目、鼻、口、耳などの特徴部位をトレース線画して照合顔線画画像４５とキャラクタ顔線画画像４６とし、これにより比較して似ている度を算出するようにし、照合顔線画画像４５とキャラクタ顔線画画像４６を色分けして重ねた状態の重顔線画画像４７を作成し、この重顔線画画像４７を端末装置２に表示するようにした４６点である。
端末装置２に重顔線画画像４７とともに表示された分離・重ね切替ボタン４８のクリックによって、照合顔線画画像４５とキャラクタ顔線画画像４６を分離したり重ねたりできる。
キャラクタの顔と自分の顔の全体的且つ部分的な比較が行え、より楽しいものにすることができるとともに、キャラクタに近づくためにどこをどのようにしたら良いかの参考になる。
【産業上の利用可能性】
【００１６】
本発明はインターネットを利用したサービス産業で利用される。
【図面の簡単な説明】
【００１７】
【図１】本発明を実施するための最良の第１の実施の形態の通信網の概念図。
【図２】本発明を実施するための最良の１の実施の形態の端末装置と顔類似検索システムの構成図。
【図３】発明を実施するための最良の１の実施の形態の端末装置と顔類似検索システムのやり取りを示す図。
【図４】発明を実施するための最良の１の実施の形態の端末装置と顔類似検索システムの投げ掛け型のやり取りを示す図。
【図５】発明を実施するための最良の１の実施の形態の端末装置と顔類似検索システムの指名型のやり取りを示す図。
【図６】発明を実施するための最良の１の実施の形態の端末装置の送信画面および受信画面を示す図。
【図７】発明を実施するための最良の２１の実施の形態の端末装置の受信画面を示す図。
【符号の説明】
【００１８】
１：顔類似検索システム、      ２：端末装置、
３：照合顔画像、              ４：照合顔画像入力部、
５：キャラクタ顔画像、        ６：データベース、
７：コメント登録部、          ８：コメント、
９：検索処理部、
１１：ｉアプリ・ＥＺアプリ・Ｓ！アプリ等、
１２：サイト、                １３：携帯電話通信網、
１４：インターネット、        １７：カメラ、
１８：操作部、                １９：顔画像特徴部位抽出部、
２０：表示部、                ２１：送信部、
２２：受信部、                ２４：キャラクタ情報、
２５：キャラクタ情報登録、    ２６：似ている度、
２７：ランキング、            ３０：利用履歴テーブル、
３１：ランキングテーブル、    ３２：指名ボタン、
３３：投げ掛けボタン、        ３４：検索条件、
３５：送信ボタン、            ３８：似ている度検索結果、
３９：リピータ検索結果、      ４０：似てる度ランキング結果、
４１：キャラクタ情報ボタン、  ４２：保存ボタン、
４５：照合顔線画画像、        ４６：キャラクタ顔線画画像、
４７：重顔線画画像、          ４８：分離・重ね切替ボタン、
５０：顔類似検索システム。
【図１】
2008310636.tif 000003
【図２】
2008310636.tif 000004
【図３】
2008310636.tif 000005
【図４】
2008310636.tif 000006
【図５】
2008310636.tif 000007
【図６】
2008310636.tif 000008
【図７】
2008310636.tif 000009